(57)【要約】  【課題】ケースとリレー搭載部を別体として製作効率を向上させた電気接続箱の模型の強度および安定性を向上させる。  【解決手段】リレー搭載部を備えた電気接続箱の模型であって、電気接続箱のケース本体１１にはリレー搭載部と対応する位置に取付孔１２が設けられていると共に取付孔１２の周縁よりガイド壁１３〜１６が立設されている一方、リレー搭載部として既存量産品である電気接続箱から切り出したリレー搭載部品２０が用いられ、リレー搭載部品２０はガイド壁１３〜１６で外嵌して取付孔１２に嵌合されると共に接着剤２２を介して取り付けられ、ガイド壁１３〜１６はリレー搭載部品２０の先端位置まで突出されている。  【選択図】図１
2005080409.tif 000002
【特許請求の範囲】
【請求項１】
リレー搭載部を備えた電気接続箱の模型であって、
上記電気接続箱のケース本体には上記リレー搭載部と対応する位置に取付孔が設けられていると共に該取付孔の周縁よりガイド壁が立設されている一方、
上記リレー搭載部として既存量産品である電気接続箱から切り出したリレー搭載部品が用いられ、該リレー搭載部品は上記ガイド壁で外嵌して上記取付孔に嵌合されると共に接着剤を介して取り付けられ、上記ガイド壁は上記リレー搭載部品の先端位置まで突出されていることを特徴とする電気接続箱の模型。
【発明の詳細な説明】
【技術分野】
【０００１】
本発明は、電気接続箱の模型に関し、詳しくは、リレー搭載部を備えた電気接続箱の模型の製作効率を向上すると共に、強度・安定性が良好なものに関する。
【背景技術】
【０００２】
自動車には、ジャンクションボックス、リレーボックス、ヒュージブルリンクボックス、ヒューズボックス等の種々の電気接続箱が搭載されている。新型の自動車を量産する前段階には、新たに設計した電気接続箱の実物大の試作品を模型で製作し、該模型を用いて種々の検討を重ねている。例えば、車体内の所要箇所にその電気接続箱を搭載する空間が確保されているかを確認したり、取付作業やワイヤハーネスとの接続作業の作業性を確認したりしている。
【０００３】
このような自動車用の電気接続箱の試作品となる模型の製作例として、電気接続箱のケース本体に対応するシリコン製の成形型を製作し、このシリコン型内にウレタン樹脂を注入、硬化させて、電気接続箱のケース本体を注型している。
模型ではない実機搭載用の電気接続箱は、金型で成形され、ケース本体にはリレー搭載部やヒューズ搭載部、コネクタ搭載部等の複雑な構造部分も一体成形されている。
しかしながら、図６に示すように、シリコン型で成形したウレタン製のケース本体１の上面１ａのリレー搭載部やヒューズ搭載部に対応する位置に取付孔１ｂ、１ｃを穿設する一方、図７に示すような既存の量産品である電気接続箱から部分的に切り出したリレー搭載部品２やヒューズ搭載部品３をケース本体１の取付孔１ｂ、１ｃに内嵌して接着することにより電気接続箱の模型を試作していることが多い。
【０００４】
しかしながら、リレー搭載部品は、他の搭載部品と比較して、上下方向に長いため、図８に示すように、リレー搭載部品２のハウジング側面の一部をケース本体１ａの取付孔１ｂの内周面と接着剤４で固定しているだけでは、リレーＲをリレー搭載部品２に強く差し込むと、リレー搭載部品２と取付孔１ｂの内周縁との接着が壊れ、電気接続箱が破壊されやすい問題があった。
【０００５】
また、特開平９−１０３０１６号公報に開示された電気接続箱の試作品の模型はケース本体を光造形で高速三次元成形している。図９に示すように、実際の電気接続箱のケースと同じ形状及び寸法を有し、実際の電気接続箱のアセンブリ部が設けられる位置と対応する位置に取付孔５ａ、８ａを設けた高速三次元成形により製作したケース５、８を備え、ケース５、８と別体であって、実際の電気接続箱のアセンブリ部と同様の形状及び構造の本体６ｂと、本体６ｂの基端部に設けたフランジ状部６ａとを備えるユニット部品６をケース５、８とは別個に設けており、ユニット部品６をケース５、８の内部側から取付孔５ａ、８ａに挿入して接着固定している。
【０００６】
図１０に示すように、この場合も、ユニット部品６のフランジ部６ａをケース５、８の取付孔５ａ、８ａに接着しているだけであるので、この場合も、リレーを差し込む等してユニット部品６の上から負荷が掛かると接着が剥がれ、ユニット部品６ごと下方に外れる恐れがある問題がある。また、本公報の第２実施形態ではユニット部品のフランジ部をケースに対してボルト締め固定することが開示されているが、ボルト締め作業は時間がかかり作業性が低下するため好ましくない。
【０００７】
【特許文献１】特開平９−１０３０１６号公報
【発明の開示】
【発明が解決しようとする課題】
【０００８】
本発明は、上記問題に鑑みてなされたもので、模型として作成されたケースに、金型成形された実機の電気接続箱からリレー搭載部、ヒューズ搭載部、コネクタ搭載部を切り出して取り付ける場合において、特に、上下高さが大なリレー搭載部とケース本体との取付強度を高めて、電気接続箱の模型の強度および安定性を向上させることを課題としている。
【課題を解決するための手段】
【０００９】
上記課題を解決するため、本発明は、リレー搭載部を備えた電気接続箱の模型であって、  上記電気接続箱のケース本体には上記リレー搭載部と対応する位置に取付孔が設けられていると共に該取付孔の周縁よりガイド壁が立設されている一方、
上記リレー搭載部として既存量産品である電気接続箱から切り出したリレー搭載部品が用いられ、該リレー搭載部品は上記ガイド壁で外嵌して上記取付孔に嵌合されると共に接着剤を介して取り付けられ、上記ガイド壁は上記リレー搭載部品の先端位置まで突出されていることを特徴とする電気接続箱の模型を提供している。
【００１０】
上記構成とすると、ケース本体に穿設された取付孔の周縁より立設したガイド壁は、取付孔に内嵌されて接着剤で取り付けられた状態の上記リレー搭載部品の先端位置まで突出している、つまり、ガイド壁の先端面とリレー搭載部品の先端面とを同一高さとしているので、ケース本体に接着されたリレー搭載部品にリレーが差し込まれた場合、リレーの下面をリレー搭載部品のみならずケース本体と一体に形成されたガイド壁でも支えることとなるので、リレー搭載部品に加わる負荷を大幅に軽減することが可能となる。また、上記ガイド壁は取付孔の周縁より突出し、取付孔に内嵌されるリレー搭載部品を外嵌保持するようにしているので、リレー搭載部品の取付安定性を更に向上させることもできる。
【発明の効果】
【００１１】
以上の説明より明らかなように、本発明によれば、ケース本体に穿設された取付孔に接着されたリレー搭載部品にリレーが差し込まれた場合でも、上記ガイド壁がケース本体リレーの下面を支えるのを補助することができるので、リレー搭載部品に加わる負荷を大幅に軽減することが可能となる。さらに、上記ガイド壁は取付孔の周縁より突出し、取付孔に内嵌されるリレー搭載部品を外嵌保持するようにしているので、リレー搭載部品の取付安定性を向上させることもできる。
【発明を実施するための最良の形態】
【００１２】
本発明の実施形態を図面を参照して説明する。
第１実施形態の電気接続箱の模型はリレーボックスの模型からなる。
図１に示すように、このリレーボックスの模型１０のケース本体１１は、実際のリレーボックスのケースからリレー搭載部をなくした形状としている。つまり、リレーボックス１０でリレー搭載部を設けている箇所に対応する箇所には、別体であるリレー搭載部品２０を取り付けるための取付孔１２を穿設している。
【００１３】
この取付孔１２は、リレー搭載部品２０が内嵌できるようにリレー搭載部品２０の側面２０ａの形状と同一形状となるよう略十字形状に穿設している。取付孔１２の十字状の対向する一対の周縁より板状のガイド壁１３〜１６をケース上面１１ａに一体的に立設し、ガイド壁１３〜１６の取付孔１２側の端面１３ａ〜１６ａを取付孔１２の内周縁と連続させている。
【００１４】
上記模型１０のケース本体１１は高速三次元成形や切削加工により製作したマスターモデルを基にシリコン型を製作し、更にそのシリコン型にウレタン系樹脂を注入することにより成形したものである。
【００１５】
リレー搭載部品２０は、既に量産されている金型成形品の電気接続箱から切り出したリレー搭載部品からなる。これらリレー搭載部品２０はポリプロピレン系樹脂やナイロン系樹脂からなり、リレーＲの端子の差込口２１を備えている。なお、リレー搭載部品２０は、リレーボックス、ジャンクションボックス、ヒューズボックス等の種々の実機用の電気接続箱から予め切り出して設けておき、模型に使用する大きさのリレー搭載部品を選択して使用している。
【００１６】
図１乃至図３に示すように、上記構成のリレー搭載部品２０をケース本体１１の取付孔１２に内嵌挿入し、取付孔１２の内縁とリレー搭載部品２０の側面との間に接着剤２２を介在させて固定する。この際、リレー搭載部品２０の上面２０ｂとガイド壁１３〜１６の上端面１３ｂ〜１６ｂとが同一平面上に位置するようにして、ガイド壁１３〜１６をリレー搭載部品２０の先端位置まで突出された状態としている。
さらに、ケース本体１１の取付孔１２に内嵌固定されたリレー搭載部品２０の側面２０ａには、ガイド壁１３〜１６の対向する端面１３ａ〜１６ａが当接し、ガイド壁１３〜１６によりリレー搭載部品２０を外嵌保持するようにしている。
【００１７】
上記のようにして完成されたリレーボックスの模型１０は、リレーＲの端子をリレー搭載部品２０の差込口２１に強く差し込んだ場合でも、図３に示すように、リレーＲのハウジングの下面をリレー搭載部品２０の上面２０ｂのみならずガイド壁１３〜１６の上端面１３ｂ〜１６ｂでも支えることとなるので、リレー搭載部品２０に加わる負荷が大幅に軽減され、リレー搭載部品２０の接着が壊れるのを防止することができる。
また、ガイド壁１３〜１６の対向する端面１３ａ〜１６ａは取付孔１２の内周縁と連続して同一面としているので、取付孔１２に内嵌されるリレー搭載部品２０の側面２０ａがガイド壁１３〜１６の端面１３ａ〜１６ａで外嵌保持され、リレー搭載部品２０の取付安定性を更に向上させることを可能としている。
【００１８】
図４および図５は第２実施形態を示す。
本実施形態のリレーボックスの模型１０’は、図４に示すように、ケース本体１１’の上面１１ａ’にリレー搭載部品２０を取り付けるための取付孔１２’を略十字状に穿設していると共に、取付孔１２’の全周より上方に略十字状のガイド壁３０を一体的に立設している。
【００１９】
図５に示すように、ケース本体１１’の取付孔１２’に別体であるリレー搭載部品２０を内嵌挿入し、取付孔１２’の内縁とリレー搭載部品２０の側面との間に接着剤２２を介在させて固定する。この際、リレー搭載部品２０の上面２０ｂとガイド壁３０の上端面３０ａとが同一平面上に位置するようにしている。また、リレー搭載部品２０の側面２０ａには、ガイド壁３０の内周面３０ｂが当接しリレー搭載部品２０を外嵌保持するようにしている。
上記構成とすると、リレーＲの端子をリレー搭載部品２０の差込口２１に強く差し込んだ場合でも、図５に示すように、リレーＲのハウジングの下面は、リレー搭載部品２０の上面２０ｂのみならずガイド壁３０の上端面３０ａの全周でも支えられ、リレー搭載部品２０に加わる負荷を大幅に軽減することができる。
【図面の簡単な説明】
【００２０】
【図１】本発明の第１実施形態のリレーボックス（電気接続箱）の模型の要部斜視図である。
【図２】リレーボックスの模型の要部上面図である。
【図３】図２のＡ−Ａ線断面図である。
【図４】第２実施形態のリレーボックスの模型の要部斜視図である。
【図５】要部断面図である。
【図６】従来のリレーボックスの模型のケース本体を示す上面図である。
【図７】従来のリレー搭載部品およびヒューズ搭載部品を示す上面図である。
【図８】従来のリレーボックスの模型の要部断面図である。
【図９】別の従来例の分解斜視図である。
【図１０】別の従来例の要部断面図である。
【符号の説明】
【００２１】
１０    リレーボックスの模型
１１    ケース本体
１２    取付孔
１３〜１６  ガイド壁
２０    リレー搭載部品
２２    接着剤
３０    ガイド壁
Ｒ      リレー
【図１】
2005080409.tif 000003
【図２】
2005080409.tif 000004
【図３】
2005080409.tif 000005
【図４】
2005080409.tif 000006
【図５】
2005080409.tif 000007
【図６】
2005080409.tif 000008
【図７】
2005080409.tif 000009
【図８】
2005080409.tif 000010
【図９】
2005080409.tif 000011
【図１０】
2005080409.tif 000012